(57)【要約】【課題】  従来のＰＣにおける壁紙の設定方式では、デジタルカメラ及びＰＣのそれぞれで、それぞれのアプリケーションに対応した作業が必要となる。【解決手段】  デジタルカメラにおいて、ＰＣの壁紙として表示させたい画像を選択し、更にその壁紙としての表示形態を設定する（Ｓ７）。そして、その設定した設定記述情報をＰＣに送信する（Ｓ８）ことにより、その選択した画像を、設定した表示形態でＰＣの画面の壁紙として表示させることができる。【選択図】  図１０
2005223857.tif 000002
【特許請求の範囲】
【請求項１】
情報処理装置に画像情報を転送する画像供給装置であって、
前記情報処理装置の背景画像とすべき画像を選択する選択手段と、
前記選択手段により選択された画像を含む背景画像の設定情報を前記情報処理装置に転送する転送手段と、
を有することを特徴とする画像供給装置。
【請求項２】
前記設定情報は、前記情報処理装置における背景画像の表示形態を指示する情報を含むことを特徴とする請求項１に記載の画像供給装置。
【請求項３】
前記設定情報は、前記情報処理装置の画面を複数領域に分割する情報を含むことを特徴とする請求項１又は２に記載の画像供給装置。
【請求項４】
前記設定情報は、前記情報処理装置における背景画像の更新時間を指示する情報を含むことを特徴とする請求項１乃至３のいずれか１項に記載の画像供給装置。
【請求項５】
前記設定情報は、前記選択手段により選択された画像の画像データが格納されているパス情報を含むことを特徴とする請求項１乃至４のいずれか１項に記載の画像供給装置。
【請求項６】
前記設定情報は、テキスト形式で前記情報処理装置に転送されることを特徴とする請求項１乃至５のいずれか１項に記載の画像供給装置。
【請求項７】
画像供給装置から入力した画像情報を表示する情報処理装置であって、
前記画像供給装置から背景画像の設定情報を受信する受信手段と、
前記受信手段により受信した前記設定情報に含まれる画像の画像データを前記画像供給装置から取得する取得手段と、
前記取得手段により取得した画像データを、前記設定情報に従って背景画像として表示する表示制御手段と、
を有することを特徴とする情報処理装置。
【請求項８】
前記設定情報が前記情報処理装置の画面を複数領域に分割して背景画像を表示するための情報を含む場合に、表示画面を前記情報に従って複数領域に分割する分割手段を有し、  前記表示制御手段は、前記複数領域のそれぞれに前記取得手段により取得した画像を表示することを特徴とする請求項７に記載の情報処理装置。
【請求項９】
前記設定情報が前記情報処理装置における背景画像の更新時間を指示する情報を含む場合、表示時間を計時する計時手段を有し、
前記表示制御手段は、前記計時手段による計時と前記更新時間とに基づいて、前記背景画像の表示を制御することを特徴とする請求項７に記載の情報処理装置。
【請求項１０】
前記取得手段は、前記設定情報に含まれている画像データが格納されているパス情報に基づいて前記画像供給装置から画像データを取得することを特徴とする請求項７乃至９のいずれか１項に記載の情報処理装置。
【請求項１１】
前記設定情報は、テキスト形式で前記画像供給装置から転送されることを特徴とする請求項７乃至１０のいずれか１項に記載の情報処理装置。
【請求項１２】
情報処理装置に画像情報を転送する画像供給方法であって、
前記情報処理装置の背景画像とすべき画像を選択する選択工程と、
前記選択工程で選択された画像を含む背景画像の設定情報を前記情報処理装置に転送する転送工程と、
を有することを特徴とする画像供給方法。
【請求項１３】
前記設定情報は、前記情報処理装置における背景画像の表示形態を指示する情報を含むことを特徴とする請求項１２に記載の画像供給方法。
【請求項１４】
前記設定情報は、前記情報処理装置の画面を複数領域に分割する情報を含むことを特徴とする請求項１２又は１３に記載の画像供給方法。
【請求項１５】
前記設定情報は、前記情報処理装置における背景画像の更新時間を指示する情報を含むことを特徴とする請求項１２乃至１４のいずれか１項に記載の画像供給方法。
【請求項１６】
前記設定情報は、前記選択工程により選択された画像の画像データが格納されているパス情報を含むことを特徴とする請求項１２乃至１５のいずれか１項に記載の画像供給方法。
【請求項１７】
前記設定情報は、テキスト形式で前記情報処理装置に転送されることを特徴とする請求項１２乃至１６のいずれか１項に記載の画像供給方法。
【請求項１８】
画像供給装置から入力した画像情報を表示する情報処理方法であって、
前記画像供給装置から背景画像の設定情報を受信する受信工程と、
前記受信工程で受信した前記設定情報に含まれる画像の画像データを前記画像供給装置から取得する取得工程と、
前記取得工程で取得した画像データを、前記設定情報に従って背景画像として表示する表示制御工程と、
を有することを特徴とする情報処理方法。
【請求項１９】
前記設定情報が画面を複数領域に分割して背景画像を表示するための情報を含む場合に、表示画面を前記情報に従って複数領域に分割する分割工程を有し、
前記表示制御工程は、前記複数領域のそれぞれに前記取得工程により取得した画像を表示することを特徴とする請求項１８に記載の情報処理方法。
【請求項２０】
前記設定情報が背景画像の更新時間を指示する情報を含む場合、表示時間を計時する計時工程を有し、
前記表示制御工程は、前記計時工程による計時と前記更新時間とに基づいて、前記背景画像の表示を制御することを特徴とする請求項１８に記載の情報処理方法。
【請求項２１】
前記取得工程は、前記設定情報に含まれている画像データが格納されているパス情報に基づいて前記画像供給装置から画像データを取得することを特徴とする請求項１８乃至２０のいずれか１項に記載の情報処理方法。
【請求項２２】
前記設定情報は、テキスト形式で前記画像供給装置から転送されることを特徴とする請求項１８乃至２１のいずれか１項に記載の情報処理方法。
【請求項２３】
カメラとコンピュータ機器とを機能的に接続した情報処理システムであって、
前記カメラは、
前記コンピュータ機器の壁紙に表示される画像及びその表示形態を設定する設定手段と、
前記画像及びその表示形態を記述した設定情報を前記コンピュータ機器に送信する送信手段とを有し
前記コンピュータ機器は、
前記設定情報で記述された画像の画像データを前記カメラから取得する取得手段と、
前記取得手段により取得した画像を、前記設定情報に含まれる前記画像の表示形態に従って壁紙を表示する表示制御手段と、
を有することを特徴とする情報処理システム。
【発明の詳細な説明】
【技術分野】
【０００１】
本発明は、ＰＣ等の情報処理装置と、その情報処理装置に画像データを供給する画像供給装置とそれらの制御方法に関するものである。
【背景技術】
【０００２】
従来、デジタルカメラで撮影した画像をＰＣ画面の背景（以下、壁紙）に設定する場合には、画像データをカメラからＰＣに画像ファイルとして転送した後、そのＰＣに実装されているＯＳによって提供される、或はＰＣの壁紙が設定できるアプリケーションを用いて、その転送された画像ファイル名を指定してＰＣ画面の壁紙を設定する必要があった。例えば、Microsoft社のWindows （登録商標） 2000では、システムのパラメータを取得又は設定するＡＰＩのパラメータに、その画像ファイルの情報を指定することにより、ＰＣの画面の壁紙を設定することができる。また或は、コントロールパネルの「画面」を起動し、表示される画像のプロパティ・ダイアログから「背景」タブを選択し、その背景としてＯＳに格納されている画像ファイルを選択することによってもＰＣ画面の壁紙を設定することができる。
【０００３】
また、複数枚の画像をＰＣ画面の壁紙に設定する場合には、予めフォトレタッチソフトウェア等を用いて各画像を合成し、ＰＣ画面の壁紙として表示するため合成画像を作成した後、その合成画像を壁紙として設定するといった作業が必要であった。特許文献１では、壁紙の所定領域に特定の動作を関連付けることが記載されている。
【特許文献１】特開平０９−２８８５５８号公報
【発明の開示】
【発明が解決しようとする課題】
【０００４】
上述した従来のＰＣにおける壁紙の設定方式では、デジタルカメラ及びＰＣのそれぞれで、それぞれのアプリケーションに対応した作業が必要となる。このように、ＰＣとカメラのそれぞれにおいて、各アプリケーションを実行させて壁紙にしたい画像に対して作業するのは操作性が悪い。また、壁紙として複数毎の画像を同時に表示する場合には、フォトレタッチソフトウェア等を用いて、それら複数枚の画像を合成したファイルを作成する必要があり面倒な作業が必要となっていた。また、スクリーンセーバやビューワを用いた表示方法では、画像表示以外の作業が考慮されていないため、上述した壁紙の表示制御を行うことはできなかった。
【０００５】
本発明は上記問題点に鑑みてなされたもので、情報処理装置の画面に表示される背景画像を簡単に設定できる手法を提供することを目的とする。
【課題を解決するための手段】
【０００６】
本発明の画像供給装置は以下のような構成を備えることを特徴としている。即ち、
情報処理装置に画像情報を転送する画像供給装置であって、
前記情報処理装置の背景画像とすべき画像を選択する選択手段と、
前記選択手段により選択された画像を含む背景画像の設定情報を前記情報処理装置に転送する転送手段とを有することを特徴とする。
【０００７】
本発明の情報処理装置は以下のような構成を備えることを特徴としている。即ち、
画像供給装置から入力した画像情報を表示する情報処理装置であって、
前記画像供給装置から背景画像の設定情報を受信する受信手段と、
前記受信手段により受信した前記設定情報に含まれる画像の画像データを前記画像供給装置から取得する取得手段と、
前記取得手段により取得した画像データを、前記設定情報に従って背景画像として表示する表示制御手段とを有することを特徴とする。
【０００８】
本発明の画像供給方法は以下のような工程を備えることを特徴としている。即ち、
情報処理装置に画像情報を転送する画像供給方法であって、
前記情報処理装置の背景画像とすべき画像を選択する選択工程と、
前記選択工程で選択された画像を含む背景画像の設定情報を前記情報処理装置に転送する転送工程とを有することを特徴とする。
【０００９】
本発明の情報処置方法は以下のような工程を備えることを特徴としている。即ち、
画像供給装置から入力した画像情報を表示する情報処理方法であって、
前記画像供給装置から背景画像の設定情報を受信する受信工程と、
前記受信工程で受信した前記設定情報に含まれる画像の画像データを前記画像供給装置から取得する取得工程と、
前記取得工程で取得した画像データを、前記設定情報に従って背景画像として表示する表示制御工程とを有することを特徴とする。
【発明の効果】
【００１０】
本発明によれば、情報処理装置における壁紙の設定を容易に行うことができる。
【発明を実施するための最良の形態】
【００１１】
以下、添付図面を参照して本発明の好適な実施の形態を詳しく説明する。
【００１２】
図１は、本発明の実施の形態に係るシステムを構成を説明する図で、この実施の形態では、ホストコンピュータ（ＰＣ）１０とデジタルカメラ２０とが接続され、デジタルカメラ２０で、ＰＣ１０のモニタ画面に表示される壁紙の設定を行うことができるように構成されている。
【００１３】
図において、１０はホストコンピュータであるパーソナルコンピュータ（ＰＣ）等のコンピュータ機器を示している。このコンピュータ機器（以下、ＰＣ）１０は、画像やメニュ項目などを表示するモニタ１２、ボタン１６を有するポインティングデバイス（以下、マウス）１４、キーボード１８等を備えている。
【００１４】
２０はデジタルカメラで、ＵＳＢデータ転送ケーブル２２を介してＰＣ１０と接続され、デジタルカメラ２０により撮像された画像データ或は、カメラ２０のメモリカードに記憶されている画像データをＰＣ１０に取り込むことができる。またこのデジタルカメラ２０は、このカメラ２０のユーザインターフェース（ＵＩ）を使用して作成された、ＰＣ１０への壁紙の表示設定を行う設定記述情報をＰＣ１０に送信し、この記述情報に基づいてＰＣ１０からアクセスされた画像データをデジタルカメラ２０に転送する。
【００１５】
尚、ＵＳＢインターフェースを介して接続されているデジタルカメラ２０は、ＰＣ１０から見た場合、新たに追加されたハードウェアとして認識されるため、デジタルカメラ２０の記憶媒体（メモリカード）に記憶されている画像データのパス情報が分かれば、ＰＣ１０は、その記憶媒体に記憶されている所望の画像データを簡単に取得することができる。
【００１６】
図２は、本実施の形態に係るＰＣ１０の機能構成を示すブロック図である。
【００１７】
図２において、１１０はアプリケーションソフトウェア、１２０はオペレーティングシステム（ＯＳ）を示している。このアプリケーションソフトウェア１１０、ＯＳ１２０はＰＣ１０のハードディスク１８０に予めインストールされており、実行時にＲＡＭ１９１にロードされ、ＣＰＵ１９０の制御の下に実行される。尚、これ以外の構成で、特に本実施の形態の理解に必要でない要素、例えば、オペレーティングシステム１２０のメモリ管理システムなどは、この図２では省略してある。
【００１８】
ファイルシステム１２４はオペレーティングシステム１２０を構成するファイルシステムで、アプリケーションソフトウェア１１０がハードウェアを直接制御することなしにファイルの入出力を可能にしている。このようなファイルシステムは周知である。ディスクインターフェース１７０は、このファイルシステム１２４がハードディスク１８０にアクセスしてデータの読み書きを行うことができるようにしている。１２３はオペレーティングシステム１２０に含まれる描画管理システムで、アプリケーションソフトウェア１１０が直接ハードウェアを制御することなく画像を生成する機能を具備する。このＰＣ１０におけるモニタ１２の画面の背景（壁紙）設定用のアプリケーションもここに含まれているものとする。ビデオインターフェース１６０は、この描画管理システム１２３で生成される画像データをモニタ１２に適合するビデオ信号に変換して表示するように制御している。１２１はオペレーティングシステム１２０を構成するイメージデバイス管理システムである。このイメージデバイス管理システム１２１は、デジタルカメラ２０やスキャナなどの画像データを扱うデバイスを管理するもので、このＰＣ１０に接続されているデバイスに適切なデバイスドライバを自動的に割り振り、またアプリケーションソフトウェア１１０がハードウェアを直接制御することなく、これら接続されているデバイスからの入出力を管理する手段を提供する。また、接続されているデバイスからの要求により、アプリケーションソフトウェア１１０を起動することが可能である。キーボードインターフェース１４０、マウスインターフェース１５０はそれぞれ、ＰＣ１０とキーボード１８とマウス１４との間のインターフェースを制御している。
【００１９】
前述したようにデジタルカメラ２０は、ＵＳＢケーブル２２を介してＵＳＢインターフェース１３０に接続されており、イメージデバイス管理システム１２１並びにデジタルカメラ２０のデバイスドライバ１２２を介して、アプリケーションソフトウェア１１０に記憶されているデジタルカメラのアプリケーションソフトウェアとの間で制御コマンド、状態信号及び画像データ等の送受信を行うことが可能である。
【００２０】
このアプリケーションソフトウェア１１０は、デジタルカメラ２０から画像データを取得したり、デジタルカメラ２０を制御するアプリケーションソフトウェアである。本実施の形態に係るアプリケーションソフトウェア１１０は、イメージデバイス管理システム１２１にアクセスすることでデジタルカメラ２０と通信を行う通信管理部１１１、デジタルカメラ２０で撮影された画像を通信管理部１１１を用いて取得する画像転送管理部１１２、デジタルカメラ２０から転送された画像や制御コマンド等並びに、ＰＣ１０の情報等を基に画像の縮小、拡大、合成等の画像処理を行う画像処理部１１３、アプリケーションソフトウェア１１０の情報等をモニタ１２の画面上に表示するデータ表示部１１４、アプリケーションソフトウェア１１０の情報等をハードディスク１８０に格納し管理するファイル管理部１１５などに相当する機能を備えている。尚、これ以外に、このＰＣ１０は、ＣＰＵ１９０よりの指示により計時を行うタイマ（不図示）、他の入出力機器との間のインターフェースを制御するインターフェース（不図示）を備えている。
【００２１】
図３は、本実施の形態に係るデジタルカメラ２０の機能構成を示す機能ブロック図である。
【００２２】
デジタルカメラ２０は、レンズ、ＣＣＤ、駆動回路等を含んだ光学ユニット２０４、画像データ等を処理する信号処理部２０３、ＣＰＵ等を含む演算部２０２、ＤＲＡＭ等の一時記憶部２０５、内臓フラッシュＲＯＭ等の二次記憶部２０６、図４に示す各種ボタンやスイッチなどを含む操作部２０７、液晶等の表示部２０８、プログラムの格納等に使用されるＲＯＭ等の読出し専用メモリ２０９、コンパクトフラッシュ（登録商標）メモリなどのメモリカード等の着脱可能記憶媒体２１０、コンピュータ１０との接続を管理する通信制御部２０１等を備えている。
【００２３】
この構成において、撮影された画像信号はＪＰＥＧ圧縮されて記憶媒体２１０に記憶される。また、操作部２０７を使用した操作により、この記憶媒体２１０に記憶されている画像データを読み出して表示部２０８に表示することができる。更に、このデジタルカメラ２０では、記憶媒体２１０に記憶されている画像の中から一つ或は複数の画像を選択し、その選択した画像をＰＣ１０の壁紙として表示するように設定することができる。
【００２４】
尚、この設定には、良く知られているように、１つの画像を壁紙として設定するだけでなく、ＰＣ１０のモニタ１２の画面を複数の領域に分割し、選択した画像を各領域に表示させた画像を壁紙として表示したり、或はスライドショーのように各領域に表示される画像を順次変更する画像を壁紙として表示することができる。以下、これらの処理について詳しく説明する。
【００２５】
図４は、本実施の形態に係るデジタルカメラ２０の背面構成を説明する図である。
【００２６】
表示部２０８の画面は、デジタルカメラ２０の各種設定を行うための各種メニューを表示したり、また撮影時のファインダとして使用され、撮影しようとしている画像を表示するのに用いられる。更には、メモリカード２１０に格納されている撮影済みの画像の表示などにも用いられる。電源ボタン２５１は、このデジタルカメラ２０の電源をオン、オフするための電源スイッチである。撮影／再生切り替えボタン２５７は、このデジタルカメラ２０を使用して写真を撮影する撮影モードの設定、及び、メモリカード２１０に記憶されている画像の再生モード及びＰＣとの接続モード（ＰＣ１０と接続されてＰＣ１０により画像の取り込みが可能な状態）（以下、再生／ＰＣ接続モードと呼ぶ）を切り替えるためのものである。シャッタボタン２５２は、撮影を行うためのボタンである。
【００２７】
メニューボタン２５３は、このカメラ２０の動作を設定及び指定するためのメニュー画面を表示させるためのもので、このメニューボタン２５３が押されると表示部２０８に各種メニューが表示される。尚、このメニューとして表示される内容は、デジタルカメラ２０の状態によりそれぞれ変化する。セットボタン２５４、移動（カーソル）ボタン２５６は、メニュー画面を使用して各種モードの設定を操作するときに使用するもので、移動ボタン２５６で選択項目を順次移動させて、セットボタン２５４でその選択されているモードやデータの設定を行う操作や、再生／ＰＣ接続モード時に、デジタルカメラ２０の単一もしくは複数の画像を選択する操作を実現するためのものである。ＰＣ背景設定ボタン２５５は、ＰＣ接続モード時に、メニューボタン２５３やセットボタン２５４の操作により、選択された画像をＰＣ１０の壁紙として設定するように指示するためのボタンである。尚、このＰＣ背景設定ボタン２５５は、本実施の形態のように、物理的なボタンとして設けていなくても、例えばメニュー画面の項目「ＰＣ背景設定」を指定することにより、このボタン２５５と同様の機能を持たせるようにしてもよいことはもちろんである。
【００２８】
図５（Ａ），（Ｂ）は、本実施の形態に係るデジタルカメラ２０において、ＰＣ背景設定ボタン２５５が押下された際に、デジタルカメラ２０の表示部２０８へ表示される表示例（ＵＩ）を説明する図である。
【００２９】
このデジタルカメラ２０は、接続されたＰＣ１０の壁紙を設定できる機能、その設定機能に付随している各種オプション機能を有しており、カーソルボタン２５６、セットボタン２５４を操作することにより、壁紙の繰り返し表示の有無、壁紙の表示時間間隔、ＰＣ１０の背景画面の分割数等を設定することができる。
【００３０】
例えば図５（Ａ）の例は、ＰＣ背景設定モードにおける設定例を示す図で、ここでは繰り返し表示が「なし」、画像の表示時間間隔が「なし」、そしてＰＣの壁紙の分割数が「１×１」に設定されている。これは従来から行われている一般的な壁紙の表示設定を示すもので、画面上に１つの壁紙が表示される場合を示している。
【００３１】
図５（Ｂ）は、ＰＣ背景設定モードにおける設定例を示す図で、ここでは繰り返し表示が「Ｙ（あり）」、画像の表示時間間隔が「１５秒」、ＰＣの壁紙の分割数が「２×２」に設定された場合を示している。この場合には、壁紙を表示するＰＣの表示画面が４つの領域に分割され、１５秒経過する度に、各領域における表示が変更される。
【００３２】
尚、このＵＩにおいて、「表示間隔」の時間設定は、「なし」の位置にカーソルを合わせて、カーソルボタン２５６の上方向を指示することにより５秒おきに時間値が上昇し、逆に下方向を指示することにより５秒おきに時間値が減少することに指定できる。また分割数の設定も同様に、その数字の位置にカーソルを合わせて、カーソルボタン２５６の上方向或は下方向を指示することにより、任意の分割数を設定することができる。
【００３３】
図６は、このような画面の分割例を説明する図である。この例では、ＰＣ１０のモニタ１２の画面を２×２に分割して表示する例で示している。尚、ここでは画面のサイズは横方向に１０２４画素、縦方向に８６４画素としている。
【００３４】
この例ではＰＣ１０の壁紙を設定する領域が論理的に４つの領域に分割されており、それぞれの分割された各論理的領域を画面の左上から右下に、それぞれ第１領域［Ａ（１，１）］３０１、第２領域［Ａ（１，２）］３０２、第３領域［Ａ（２，１）］３０３及び第４領域［Ａ（２，２）］３０４としている。この場合、各領域のサイズはそれぞれ横５１２（＝１０２４／２）画素、縦４３２（＝８６４／２）画素となる。
【００３５】
図７（Ａ）〜（Ｈ）は、これら２×２に分割された各領域への画像の表示順序を説明する図である。
【００３６】
この例では、壁紙として選択された画像の数は８で、画面は２×２の領域に分割されている。この場合には、表示時間間隔で設定された時間ごとに、図７（Ａ）〜（Ｄ）で示すように、順次、第１領域〜第４領域の順番に、画像１(Pic.1)画像〜画像４(Pic.4)が表示される。そして、この例では、次の表示時間間隔が経過すると、それまで表示されていた画像１〜４を全て消去して、第１領域３０１に、次の画像である画像５(Pic.5)を表示している。そして図７（Ｆ）〜（Ｈ）では、表示時間間隔で設定された時間ごとに、順次、第２領域〜第４領域の順番に、画像６(Pic.6)〜画像８(Pic.8)がそれぞれ各画像領域に表示される。
【００３７】
図８（Ａ）〜（Ｄ）は、図７（Ｅ）〜（Ｈ）の変形例を説明する図で、ここでは図７（Ｄ）のように画像１〜４が表示された後、次の表示時間間隔が経過すると、それまで表示されていた画像１〜４を全て消去せずに、図８（Ａ）で、第１領域３０１に次の画像である画像５(Pic.5)を表示している。そして図８（Ｂ）〜（Ｄ）で、表示時間間隔で設定された時間ごとに、順次、画像６(Pic.6)〜画像８(Pic.8)を、それぞれ対応する領域に表示している。この場合には、図７（Ｅ）〜（Ｈ）で示すように、空白となる画像領域が存在しない。
【００３８】
このように、本実施の形態に係る壁紙の表示制御を用いることにより、各画像をスライドショーのように順次表示させることができる。
【００３９】
図９（Ａ）〜（Ｃ）は、本実施の形態に係るデジタルカメラ２０からＰＣ１０のアプリケーションソフトウェア１１０に転送される壁紙の設定記述情報の一例を説明する図である。この設定記述情報は、前述のようにして、デジタルカメラ２０で設定された壁紙の表示情報を記述した情報である。
【００４０】
この設定記述情報はテキストで記述されており、図５（Ａ），（Ｂ）に示すＰＣ背景設定モードで設定した、繰り返し表示の有／無、画像の表示時間間隔、ＰＣの背景画面の分割数、並びに選択した画像の総数、各選択された画像の記憶媒体２１０におけるパス情報等を記述している。本実施の形態では、このようにテキストで設定情報を記述することにより、例えばデジタルカメラ２０とＰＣ１０との間のデータ転送をＰＴＰ（Picture Transfer Protocol）を用いて実行している場合でも、任意の設定情報をカメラ２０とＰＣ１０との間でやり取りすることができる。
【００４１】
この設定記述情報を受信したＰＣ１０は、繰り返し表示の有／無、画像の表示時間間隔、ＰＣの背景画面の分割数、並びに選択した画像の総数等の設定情報を記憶するとともに、選択された画像の画像データを、その画像のパス情報を基にデジタルカメラ２０の記憶媒体２１０から読み出してハードディスク１８０に記憶する。そして実際に壁紙を表示するタイミングとなると、その記憶している画像データを読み出し、上記設定情報に従って壁紙として表示する。
【００４２】
図９（Ａ）において、９０１は転送モードで、ここでは「ＰＣ背景設定モード」が設定されている。９０２は繰り返し表示で、ここでは繰り返し表示「なし」に設定されている。９０３は画像の表示時間間隔を示し、ここでは「なし」、即ち、「０」に設定されている。９０４はＰＣの背景画面の分割数で、ここでは「１×１」に設定されている。９０５は選択された画像の総数で、ここでは［１］である。９０６は、選択された画像のパス情報で、「\DCIM\100ABC\IMG_0001.JPG」が記述されている。
【００４３】
この設定記述情報を受信したＰＣ１０は、９０６で指定された画像を、そのパス情報を基に、デジタルカメラ２０の記憶媒体２１０から読み出して、モニタ１２の画面を分割することなく、画面全体に壁紙として表示する。
【００４４】
図９（Ｂ）は、転送モードが「ＰＣ背景設定モード」で、９１０で、繰り返し表示が「あり」に設定されている。そして画像の表示時間間隔は「１５秒」（９１１）で、ＰＣの背景の分割数は「１×１」（９１２）である。また選択された画像の総数は「４」（９１３）であり、９１４はこれら選択された画像１〜画像４のパス情報を記述している。即ち、これら選択された画像１〜画像４のパス情報は、「\DCIM\100ABC\IMG_0001.JPG」から「\DCIM\100ABC\IMG_0004.JPG」である。
【００４５】
この設定記述情報を受信したＰＣ１０は、モニタ１２の画面を分割することなく壁紙を表示する。この際、まず最初に「\DCIM\100ABC\IMG_0001.JPG」から読み出した画像１を壁紙として表示し、１５秒が経過すると、次は「\DCIM\100ABC\IMG_0002.JPG」から読み出した画像２を壁紙として表示する。以下、同様に、画像４までを順次表示すると、ここでは繰り返し表示が「あり」９１０に設定されているので、再び前述のように、画像１から順番に壁紙としてモニタ１２の画面に表示する。
【００４６】
図９（Ｃ）は、転送モードが「ＰＣ背景設定モード」で、繰り返し表示画「あり」９２０、画像の表示時間間隔画「２０秒」９２１、ＰＣの背景の分割数が「２×２」９２２で、選択された画像の総数が「８」９２３の場合を示している。９２４は、こうして選択された８つの画像１〜画像８のパス情報、即ち、「\DCIM\100ABC\IMG_0001.JPG」〜「\DCIM\100ABC\IMG_0008.JPG」を記述している。
【００４７】
この設定記述情報を受信したＰＣ１０は、モニタ１２の画面を２×２に分割して壁紙を表示する。この際、例えば前述の図７（Ａ）〜（Ｈ）で示したように、或は図７（Ａ）〜（Ｄ）と図８（Ａ）〜（Ｄ）で示すように、それぞれ２０秒が経過する度に、表示する画像を更新して壁紙として表示する。そして全ての画像が表示された後、繰り返し表示が「あり」９２０に設定されているので、再び前述のように、画像１から順番に壁紙としてモニタ１２の画面に表示する。尚、ここでも図７及び図８の表示形態に限定されず、２×２の領域に画像１〜画像４を同時に表示し、２０秒が経過すると、次の画像５〜画像８を２×２の領域に同時に表示するようにしても良い。
【００４８】
尚、図９において、ＰＣ１０の壁紙を設定しない、デジタルカメラ２０からＰＣ１０への通常の画像データの転送時には、転送モードとしては「画像転送モード」が設定される。ＰＣ１０アプリケーションソフトウェア１１０は、デジタルカメラ２０からの転送モードに応じて、デジタルカメラ２０からの画像データをＰＣ１０のハードディスク１８０に保存するか、ＰＣ１０の壁紙として設定するかを判断して、それ以降の処理を実行している。
【００４９】
次に、本発明の実施の形態における処理について説明する。
【００５０】
本実施の形態に係るＰＣ１０には、ＰＣ１０の画面に壁紙を設定するためのアプリケーション１１０が既にインストールされている。デジタルカメラ２０と接続された場合、オペレーティングシステム１２０のイメージデバイス管理システム１２１によって、自動的に上記アプリケーションを起動することができる。これは周知のＯＳ（例えば、Windows （登録商標） 2000）では周知である。また自動起動しないＯＳの場合には、ユーザが手動により上記アプリケーションを起動してもよい。またデジタルカメラ２０では、ユーザが撮影した画像が着脱可能な記憶媒体２１０に記憶されているものとする。
【００５１】
図１０は、本実施の形態に係るデジタルカメラ２０における処理を説明するフローチャートで、この処理を実行するプログラムはＲＯＭ２０９に記憶されており、演算部２０２のＣＰＵの制御の下に実行される。尚、この図１０のフローチャートにおいて、ステップＳ１及びＳ２の処理は、ユーザによる操作手順を示したもので、演算部２０２による処理はステップＳ３以降である。
【００５２】
ステップＳ１で、ユーザにより、デジタルカメラ２０の撮影再生切り替えボタン２５７が操作されてを再生／ＰＣ接続モードが設定され、ステップＳ２で、ＵＳＢケーブル２２を用いてＰＣ１０と接続されると、ＰＣ１０は、デジタルカメラが２０が接続されたことを検知してアプリケーション１１０を起動する。尚、本実施の形態では、デジタルカメラ２０とＰＣ１０をケーブルで接続するように記載しているが無線による接続でも構わない。またステップＳ１とＳ２の順番はこれに限るものではない。そしてステップＳ３では、メモリカード２１０に記憶されている画像のインデックスなどを表示して、ＰＣ１０の壁紙として設定したい画像を選択する。ここでは１つ或は複数の画像を選択することができる。
【００５３】
次にステップＳ４で、ユーザによりＰＣ背景設定ボタン２５５が操作されたかをみる。ＰＣ背景設定ボタン２５５が操作されないときはステップＳ５に進み、操作されたボタンやメニュー設定などに対応した処理を実行する。
【００５４】
ステップＳ４で、ユーザによりＰＣ背景設定ボタン２５５が操作されるとステップＳ６に進み、ＰＣ背景設定モードに移行し、例えば図５（Ａ），（Ｂ）に示す画面を表示部２０８に表示し、繰り返し表示の有無、画像の表示時間間隔（単位は秒）、ＰＣの画面の分割数等を、カーソルボタン２５６、セットボタン２５４を用いて設定する。こうしてステップＳ７で、これら設定された事項が確定されたかをみる。これは例えば、セットボタン２５４を所定時間押し続けるなどにより確定できる。確定されないときはステップＳ６に戻って前述の設定処理を実行するが、確定されるとステップＳ８に進み、これら設定された繰り返し表示の有無、画像の表示時間間隔、ＰＣの壁紙の分割数、選択された画像などの情報を、例えば図９に示すようなテキスト形式でＰＣ１０に送信する。
【００５５】
図１１は、本実施の形態に係るＰＣ１０で実行される処理を示すフローチャートで、この処理を実行するプログラムは、アプリケーションソフトウェア１１０として登録されている。
【００５６】
まずステップＳ１１で、ＵＳＢインターフェース１３０を介してカメラ２０が接続されたことを検知するとステップＳ１２に進み、このアプリケーションソフトウェア１１０を起動する。次にステップＳ１３で、前述したカメラ２０の処理（ステップＳ８）でカメラ２０から送信された、デジタルカメラ２０で設定された設定記述情報を受信するのを待つ。この設定記述情報を受信するとステップＳ１４に進み、その設定記述情報において分割数が「１」、即ち「１×１」に設定されているかをみる。分割数が「１」のとき、即ち、従来と同様に、画面上に１つの画像が壁紙として表示される場合はステップＳ１５に進み、その受信した設定記述情報に記述されている画像のパス情報を参照して、デジタルカメラ２０のメモリカード２１０から画像データを取得する。そしてステップＳ１６で、その画像を画面サイズに変換してステップＳ１７に進み、その取得した画像１の画像データをハードディスク１８０のテンポラリィ領域に格納し、その画像データと壁紙設定情報とを壁紙設定アプリケーションに受け渡す。これにより壁紙設定アプリケーションは、データ表示機能１１４を用いて、その画像データをＰＣ１０の壁紙として設定し表示する。アプリケーションソフトウェア１１０は、こうして設定を終了した後、ハードディスク１８０のテンポラリィ領域に格納した画像１を削除する。
【００５７】
これは例えば、設定記述情報が前述の図９（Ａ）の場合であり、アプリケーションソフトウェア１１０は、この設定記述情報により、転送モードがＰＣ背景設定モードで、繰り返し表示設定が「なし」、画像の表示時間間隔が「０」、ＰＣの画面分割が「１×１」、総画像数が「１」と認識し、デジタルカメラ２０のパス情報が「\DCIM\100ABC\IMG_0001.JPG」である着脱可能な記憶媒体２１０の画像１（IMG_0001.JPG）を読み出して壁紙として表示する。
【００５８】
一方、ステップＳ１４で、壁紙を表示する画面を分割するように設定されている場合はステップＳ１８に進み、アプリケーションソフトウェア１１０は、その設定記述情報で設定されている画像１の画像データを、着脱可能記憶媒体２１０のパス情報を基に、デジタルカメラ２０より取得する。次にステップＳ１９で、その取得した画像１の画像データを分割領域のサイズに合わせて変倍し、ハードディスク１８０のテンポラリィ領域に格納する。次にステップＳ２０で、選択された全ての画像の画像データを取得したかを調べ、全ての画像の取り込みが終了していない場合はステップＳ１８に戻り、次の選択された画像データの取得などの処理を実行する。
【００５９】
こうしてステップＳ２０で、選択された全ての画像の画像データを取得するとステップＳ２１に進み、デジタルカメラ２０に対して画像データの取得が完了した旨を通知する。これによりデジタルカメラ２０とＰＣ１０とが分離可能となる。次にステップＳ２２で、壁紙表示アプリケーションにより、ＰＣ１０の壁紙として表示する。この処理は図１２のフローチャートを参照して説明する。
【００６０】
これは、設定記述情報が、例えば前述の図９（Ｃ）の場合であり、アプリケーションソフトウェア１１０は、設定記述情報により、転送モードがＰＣ背景設定モードで、繰り返し表示設定が「あり」、画像の表示時間間隔が「２０」、ＰＣの画面分割が「２×２」、総画像数が「８」と認識すると、デジタルカメラ２０のパス情報が「\DCIM\100ABC\IMG_0001.JPG」である画像１から「\DCIM\100ABC\IMG_0008.JPG」である画像８までを順次デジタルカメラ２０のメモリカード２１０から読み出して、それぞれ画面の１／４のサイズ（横５１２画素、縦４３２画素）に変換し、ハードディスク１８０のテンポラリィ領域に格納しておく。
【００６１】
図１２は、本実施の形態に係る壁紙表示アプリケーションによる壁紙の表示処理（ステップＳ２２）を説明するフローチャートである。
【００６２】
まずステップＳ３１で、その分割された領域数（Ｎ）及び選択された画像の総数（Ｔ）を、前述の設定記述情報より取得する。次にステップＳ３２で、領域数、画像数を計数する各変数ｎ，ｔをそれぞれ「１」に初期化する。そしてステップＳ３３で、ｔ番目の画像ｔを、ｎ番目の領域ｎに設定して壁紙として表示する。そしてステップＳ３４で、前述の設定記述情報に設定されている表示時間間隔を取得し、その時間が経過するのを待つ。これは不図示のタイマによる計時に基づいて行う。その時間が経過するとステップＳ３５に進み、領域をカウントする変数ｎを＋１する。そしてステップＳ３６で、その変数ｎの値が、分割された領域数（Ｎ）以上でないかを調べ、なければステップＳ３８に進み、画像数をカウントする変数ｔを＋１する。そしてその変数ｔの値が画像の総数Ｔ以上になったかを調べ、以上であればステップＳ４１に進んで、変数ｔの値を＋１してステップＳ４０に進む。変数ｔの値が画像の総数Ｔ以上でないとき、或はステップＳ４１を実行した後、ステップＳ４０では、ｔ番目の画像ｔをｎ番目の画像領域ｎに割り当てて、壁紙として表示する。またステップＳ３６で、変数ｎの値が分割された領域数（Ｎ）以上であればステップＳ３７に進み、変数ｎの値を「１」に設定してステップＳ３８に進む。
【００６３】
これにより、図７（Ａ）〜（Ｄ）及び図８（Ａ）〜（Ｄ）で示すように、１番目の画像１から順番に画像８までが、それぞれ対応する各画像領域に表示時間間隔毎に順次表示される。尚、図７の例では、全ての画像領域（画像領域１〜４）が表示された後、全ての画像領域をクリアしている。これは例えば図１２のフローチャートのステップＳ３７で、全ての画像領域をクリアすることにより実現できる。
【００６４】
また前述したように、４つの画像領域のそれぞれに同時に画像１〜画像４を表示し、画像表示時間間隔が経過した後、残りの画像５〜画像８を画像領域１〜４に表示するのを繰り返す場合は、図１２のステップＳ３３で、全ての画像領域にそれぞれ対応する画像（画像１〜４）を同時に表示し、ステップＳ３４で表示時間間隔が経過した後、残りの画像５〜８を、全ての画像領域に同時に表示すればよい。
【００６５】
また図１２のフローチャートで示すような処理にすることにより、分割された画像領域の数が、選択された画像の総数と等しくない場合、或は選択された画像の総数が、分割された画像領域の数の整数倍でない場合でも対処できる。
【００６６】
尚、前述の実施の形態では、デジタルカメラ２０にＰＣ１０の背景の分割数を設定する機能を有していたが、アプリケーションソフトウェア１１０が、ＰＣ１０の壁紙の分割数を設定する機能を有してもよい。
【００６７】
本発明の目的は前述したように、本実施の形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００６８】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００６９】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【図面の簡単な説明】
【００７０】
【図１】本発明の実施の形態に係るシステム構成を説明する図である。
【図２】本実施の形態に係るＰＣの機能構成を示すブロック図である。
【図３】本実施の形態に係るデジタルカメラの機能構成を示す機能ブロック図である。
【図４】本実施の形態に係るデジタルカメラの背面構成を説明する図である。
【図５】本実施の形態に係るデジタルカメラにおいて、ＰＣ背景設定ボタンが押下された場合のデジタルカメラの表示部への表示例を説明する図である。
【図６】本実施の形態に係る画面の分割例を説明する図である。
【図７】本実施の形態において、２×２に分割された各領域への画像の表示順序を説明する図である。
【図８】図７（Ｅ）〜（Ｈ）の変形例を説明する図である。
【図９】本実施の形態に係るデジタルカメラからＰＣのアプリケーションソフトウェアに転送される壁紙の設定記述情報の一例を説明する図である。
【図１０】本実施の形態に係るデジタルカメラにおける処理を説明するフローチャートである。
【図１１】本実施の形態に係るＰＣによる処理を説明するフローチャートである。
【図１２】図１１のステップＳ１２の壁紙の表示処理を説明するフローチャートである。
【図１】
2005223857.tif 000003
【図２】
2005223857.tif 000004
【図３】
2005223857.tif 000005
【図４】
2005223857.tif 000006
【図５】
2005223857.tif 000007
【図６】
2005223857.tif 000008
【図７】
2005223857.tif 000009
【図８】
2005223857.tif 000010
【図９】
2005223857.tif 000011
【図１０】
2005223857.tif 000012
【図１１】
2005223857.tif 000013
【図１２】
2005223857.tif 000014